(57)【要約】【課題】研米ホッパー内で研米部材を回転して精米の表面を研米し、除去された糠粉を吸引排出して米と糠を分離回収する撹拌式研米機において、糠収集袋の糠流入口の糠詰まりを防止する。【解決手段】袋部１２の上部に取付座１３を有し、取付座１３に糠流入口１４が形成され、取付座１３の糠流入口１４の近傍に袋内に延びる糠詰まり防止突起１５が形成された糠収集袋１１。糠収集袋１１がシワになったり折れ曲がったりした状態で研米機に装着されても、糠詰まり防止突起１５により袋部１２内部（糠流入口１４の内側）に糠が流入する空間が確保される。【選択図】  図２
2004160277.tif 000002
【特許請求の範囲】
【請求項１】
米穀類の表面から糠を除去し、精穀された米穀類と糠を分離回収する精穀機の糠吸引装置に連通する減圧室に取付座を介して着脱自在に設置される糠収集袋において、該糠収集袋は空気通過性の素材からなる袋部と、該袋部の外面に取り付けられ常時開口した糠流入口を有する前記取付座と、該取付座から袋内に延びる糠詰まり防止突起からなることを特徴とする精穀機の糠収集袋。
【請求項２】
前記取付座は板状であり、前記袋部の上部に傾斜して取り付けられていることを特徴とする請求項１に記載された精穀機の糠収集袋。
【請求項３】
前記糠詰まり防止突起が取付座から略垂直に延びていることを特徴とする請求項１又は２に記載された精穀機の糠収集袋。
【請求項４】
前記糠詰まり防止突起が前記取付座の糠流入口近傍に配置されていることを特徴とする請求項１〜３のいずれかに記載された精穀機の糠収集袋。
【発明の詳細な説明】
【０００１】
【発明の属する技術分野】
本発明は、米穀類の表面から糠を除去し、精穀された米穀類と糠を分離回収する精穀機（精米機、研米機等）において、その糠吸引装置に連通する減圧室に着脱自在に設置される糠収集袋の改良に関する。
【０００２】
【従来の技術】
精穀機に用いられる糠収集袋は、例えば特開２００２−２３３７７７に記載されているように、空気通過性の素材からなる袋部と、袋部の上部外面に取り付けられた板状の取付座からなり、取付座の中央部に常時開口した糠流入口を有し、その取付座が、糠吸引装置に連通する減圧室の入口側のスロットにはめ込まれている。
【０００３】
【発明が解決しようとする課題】
糠収集袋の袋部は、布又は紙のように柔軟な又は折れ曲がりやすい素材で形成されており、これを減圧室に装着するとき、きちんと広げて装着すればよいが、使用者の不注意により、大きくシワになったり折れ曲がったりなど、袋部が縮まった状態で装着してしまうことがある。この縮まった状態は、一般に精穀機の糠吸引装置の吸引力では解消されにくい。
袋部の縮まり（シワや折れ曲がり）の程度によっては、始めから糠流入口が塞がれた状態になることがある。あるいはそこまでいかなくても、袋部の縮まりのため吸引される糠が袋の途中に堆積しやすく、そのまま使用を続けると堆積が発達し、糠流入口から吸引される糠の流入路を塞ぎ、さらに堆積が糠流入口まで達する。いずれも場合も、早期に糠が糠流入口に詰まって吸引自体ができなくなり、精米に糠が混じって出たり、糠吸引装置の故障が発生するという問題がある。本発明は、精穀機において、糠収集袋の糠流入口にこのような糠詰まりが起きるのを防止することを目的とする。
【０００４】
【課題を解決するための手段】
本発明に係る糠収集袋は、米穀類の表面から糠を除去し、精穀された米穀類と糠を分離回収する精穀機の糠吸引装置に連通する減圧室に取付座を介して着脱自在に設置されるもので、空気通過性の素材からなる袋部と、該袋部の外面に取り付けられ常時開口した糠流入口を有する前記取付座と、該取付座から袋内に延びる糠詰まり防止突起からなることを特徴とする。
上記糠収集袋は、前記取付座が板状であり、前記袋部の上部に傾斜して取り付けられていること、前記糠詰まり防止突起が取付座から略垂直に延びていること、前記糠詰まり防止突起が前記取付座の糠流入口近傍に配置されていること、等の具体的特徴を適宜備えることができる。
なお、本発明に係る糠収集袋は、玄米を精米する精米機、精米をさらに研米する研米機あるいは無洗米機等のほか、米穀類の精穀機一般に適用し得る。
【０００５】
【発明の実施の形態】
以下、図１〜図３を参照して、本発明に係る糠収集袋について説明する。
まず、図１はこの糠収集袋を装着する撹拌式研米機の例を示す。この撹拌式研米機は、側壁に多孔に形成された除糠部１ａ及び米取出口１ｂを有する研米ホッパー１と、その中で回転して米を撹拌し研米する研米部材２と、前記研米ホッパー１の周囲を隙間を置いて取り囲み、減圧室４及び糠吸引装置５に連通する吸引開口３ａを有し、さらに研米ホッパー１の米取出口１ｂを米容器６に通じさせる排出開口３ｂを有する糠ケース３と、糠ケース３の上部を覆う蓋７と、研米部材２を回転させるモータ８等からなる。減圧室４には糠収集袋１１が設置される。
【０００６】
この撹拌式研米機では、研米ホッパー１に所要量の精米を入れ、研米部材２を高速で回転させて撹拌し、同時に糠吸引装置５を作動させると、研米ホッパー１内で米は研米され、生成した糠は研米ホッパー１の除糠部１ａの孔から糠ケース３に排出され、続いて糠ケース３の吸引開口３ａを通して糠吸引装置５により吸引され、途中の減圧室４に設置された糠収集袋１１内に分離回収される。一方、研米された米は、排出扉３ｃが開いたとき、研米部材２により与えられる遠心力により、研米ホッパー１の米取出口１ｂ及び糠ケース３の排出開口３ｂを通って米容器６に排出される。
【０００７】
図２に示すように、糠収集袋１１は袋部１２と板状の取付座１３を有し、その取付座１３に糠流入口１４が形成され、取付座１３を減圧室４の入口側のスロットにはめ込むことで減圧室４に装着できるようになっている。
取付座１３は袋部１２の上部１２ａの外面に取り付けられ、前記上部１２ａが傾斜しているので取付座１３も傾斜している。取付座１３の内側の糠流入口１４のごく近傍には複数の板状突起１５ａが断面略半円形に連なった糠詰まり防止突起１５（図３（ｄ）参照）が一体的に形成され、前記取付座１３から略垂直に袋内に延びている。この例では、糠詰まり防止突起１５は糠流入口１４の上半部側に形成されている。なお、１６は袋部１２に形成された開閉自在の糠排出口であり、常時はチャック等により閉じられ、袋部１２に溜った糠を排出するとき開かれる。
【０００８】
この糠収集袋１１では、糠詰まり防止突起１５が糠流入口１４の近傍に設置されて該糠流入口１４から所定距離袋内に突出しているので、仮に袋部１２が縮まった状態で装着されたとしても、少なくとも糠詰まり防止突起１５の長さ及び幅の範囲内において、袋部１２の内部（糠流入口１４の内側）に糠が自由に流入する空間（流入路）が確保され、しかも、糠詰まり防止突起１５があることにより、袋部１２のシワや折れ曲がりの程度が浅くなり、従来より袋部１２が広がった状態で装着される。
従って、糠流入口１４が始めから塞がれることが確実に防止され、さらに、吸引された糠が袋の途中に堆積しにくく、袋部１２の奥まで吸引されるようになるので、従来の糠収集袋のように途中に堆積した糠が早期に糠流入口１４まで達するようなことが防止される。また、袋部１２の奥まで吸引された糠により、縮まっていた袋部１２がしだいに広がる作用も期待できる。
【０００９】
図３（ａ）〜（ｄ）はいずれも糠収集袋１１に適用される糠詰まり防止突起の形状の例であり（（ｄ）は図２のものと同じ）、いずれも糠詰まり防止突起が糠流入口の周囲に取付座に対して垂直に形成されている。（ａ）は断面円形に形成された板状の糠詰まり防止突起２１が取付座２２の糠流入口２３の周囲に形成され、その先端の開口２１ａは斜めに形成され、取付座２２は望ましくは開口２１ａが下向きになるように袋部１２に取り付けられる。（ｂ）は断面略半円形に形成された板状の糠詰まり防止突起２４が取付座２５の糠流入口２６の周囲に形成され、糠詰まり防止突起２４が糠流入口２６の上半部側にくるように袋部１２に取り付けられる。（ｃ）は一対の平面板状の糠詰まり防止突起２７が取付座２８の糠流入口２９を挟んで配置され、取付座２５は望ましくは糠詰まり防止突起２４が鉛直に向くように袋部１２に取り付けられる。（ｄ）は先に述べた通り、複数の板状突起１５ａが断面半円形状に連なったものである（板状突起１５ａ間にスリットが形成されている）。
【００１０】
上記の例では、本発明を取付座が袋部に対して傾斜して取り付けられた糠収集袋に対して適用したが、このタイプの糠収集袋は、袋部が縮んだ状態（袋部にシワや折れ曲がりがある状態）で装着されたとき、前記特開２００２−２３３７７７に記載されたタイプの糠収集袋（取付座が水平に取り付けられている）に比べて、糠流入口が袋部により塞がれたり、袋の途中に堆積した糠が糠流入口が達して、早期に糠詰まりを起こしやすい。従って、本発明は、特に取付座が袋部に対して傾斜して取り付けられたタイプの糠収集袋に有効である。
【００１１】
なお、上記糠収集袋１１において、袋部１２は空気と共に流入してくる糠粉を通過させず、空気だけを通過させる布状又はペーパー状の素材で形成すればよい。取付座１３は、減圧室の入口側のスロットにワンタッチではめ込むように板状とされているが、これは減圧室の取付部の構造に応じた形状とすればよい。繰り返し使用するので、型くずれしないように、樹脂等で形成するのが望ましい。その場合、突起を一体成型することができる。
【００１２】
【発明の効果】
本発明の糠収集袋によれば、精米機や研米機等の精穀機において早期に糠流入口の糠詰まりが発生するのを防止でき、精米等に糠が混じって出たり、糠吸引装置が故障することが防止できる。
【図面の簡単な説明】
【図１】糠収集袋を装着する研米機の断面模式図である。
【図２】本発明に係る糠収容袋の斜視図である。
【図３】その取付座の部分を底面側からみた図である。
【符号の説明】
１  研米ホッパー
２  研米部材
３  糠ケース
４  減圧室
５  糠吸引装置
１１  糠収集袋
１２  袋部
１３  取付座
１４  糠流入口
１５  糠詰まり防止突起
【図１】
2004160277.tif 000003
【図２】
2004160277.tif 000004
【図３】
2004160277.tif 000005